(57)【要約】【課題】外枠内に引出ボックスが引き出し可能に収納されて引出ユニットが構成され、引出ユニットは平板から成るテーブルの天板の下に設けられた引出し付きテーブルにおいて、引出ボックスを収納する外枠の方向を変更可能とすることにより、外枠に対する引出ボックスのスムーズな摺動を妨げないでテーブルにおける引出ボックスの向きを変えられるようにする。【解決手段】テーブルの天板１０と底板２０との間に引出ユニット３０が挟持され、引出ユニット３０の外枠３１は、天板１０と底板２０との間でそれらと平行な面内で回転自在とされるように、外枠３１の上下面の中心部と、天板１０並びに底板２０とには、互いに嵌まり合う凸部３３と凹部が設けられ、外枠３１の上下面の中心部から離れた部位と、天板１０並びに底板２０とは、ボルト３５、３７によって解除可能に結合されている。【選択図】図７
2015066051.tif 000002
【特許請求の範囲】
【請求項１】
外枠内に引出ボックスが引き出し可能に収納されて引出ユニットが構成され、該引出ユニットは平板から成るテーブルの天板の下に設けられた引出し付きテーブルであって、
前記引出ユニットの外枠はその取付方向を変更可能とされていることを特徴とする引出し付きテーブル。
【請求項２】
請求項１において、
前記テーブルの天板と、該天板の下側で、且つ平行に配置された底板との間に前記引出ユニットが挟持され、
前記引出ユニットの外枠は、前記天板と底板との間で天板及び底板と平行な面内で回転自在とされるように、前記外枠の上下面の中心部と、前記天板並びに前記底板とには、互いに嵌まり合う凸部と凹部が設けられ、
前記外枠の上下面の中心部から離れた部位と、前記天板並びに前記底板とは、結合手段によって解除可能に結合されていることを特徴とする引出し付きテーブル。
【発明の詳細な説明】
【技術分野】
【０００１】
本発明は、引出しを備えたテーブルに関する。
【背景技術】
【０００２】
ソファやベッドの横に置いて使用されるサイドテーブルには、所謂引出し（以下、引出ボックスという）を備えるものが一般的である。引出ボックスはテーブル面と平行な一方向に引き出し及び収納自在とされる。しかし、引出ボックスの引き出し方向が決まっていると、サイドテーブルのレイアウトによっては引出ボックスが使い難い場合がある。例えば、ソファ横にサイドテーブルを配置した場合で、引出ボックスの引き出し方向に引き出し操作に必要な空間を確保できない場合、引出ボックスを使用することができなくなる。
下記特許文献１には、引出ボックスを多方向に引き出し操作可能とされた発明が開示されている。特許文献１の発明では、引出ボックスを各方向に引き出すことができるように、引出ボックスを収納している外枠に各方向へのガイド溝を形成し、このガイド溝に引出ボックスの底板に形成された突起を係合させて構成されている。
【先行技術文献】
【特許文献】
【０００３】
【特許文献１】特開昭５８−１２６１６号公報
【発明の概要】
【発明が解決しようとする課題】
【０００４】
しかし、ガイド溝は引出ボックスが外枠に収納された状態から各方向に摺動できるように構成されており、引出ボックスの底板に形成された突起は、各方向に移動できるようにガイド溝に係合している。しかも、外枠に対して引出ボックスがスムーズに摺動できるように、ガイド溝と突起との間には若干のガタが設定されている。そのため、引出ボックスをある一方向に引き出し操作しようとしたとき、突起がガイド溝に沿ってスムーズに移動できないことが起きる。即ち、ガイド溝に係合している突起が僅かに上記一方向とは直交する他の方向へ入った位置にあると、そのままでは引出ボックスを一方向に引き出し操作することはできない。このときは突起が一方向に移動できるように外枠に対して引出ボックスの位置を微調整して、ガイド溝内での突起の位置を調整することによって引き出し操作が可能とされる。即ち、特許文献１の発明では、引出ボックスの引き出し操作がスムーズにできない問題がある。
このような問題に鑑み本発明の課題は、テーブルにおける引出ボックスを収納する外枠の方向を変更可能とすることにより、外枠に対する引出ボックスのスムーズな摺動を妨げないでテーブルにおける引出ボックスの向きを変えられるようにすることにある。
【課題を解決するための手段】
【０００５】
本発明の第１発明は、外枠内に引出ボックスが引き出し可能に収納されて引出ユニットが構成され、該引出ユニットは平板から成るテーブルの天板の下に設けられた引出し付きテーブルであって、前記引出ユニットの外枠はその取付方向を変更可能とされていることを特徴とする。
第１発明によれば、引出ユニットの外枠の取付方向を変更可能としているため、引出ユニットの向きに縛られずに、部屋内で好みの位置にテーブルをレイアウトすることができる。換言すると、テーブルを好みの位置にレイアウトすることを考慮して、外枠の取付方向を変更して、引出ボックスの引き出し方向を好みの方向に変更することができる。しかも、引出ボックスの引き出し方向は外枠の取付方向を変更することによって変更され、外枠に対する引出ボックスの引き出し方向は不変である。そのため、外枠に対する引出ボックスの引き出しガイドを多方向に設定する必要はなく、外枠に対する引出ボックスの摺動をスムーズにすることができる。
【０００６】
本発明の第２発明は、上記第１発明において、前記テーブルの天板と、該天板の下側で、且つ平行に配置された底板との間に前記引出ユニットが挟持され、前記引出ユニットの外枠は、前記天板と底板との間で天板及び底板と平行な面内で回転自在とされるように、前記外枠の上下面の中心部と、前記天板並びに前記底板とには、互いに嵌まり合う凸部と凹部が設けられ、前記外枠の上下面の中心部から離れた部位と、前記天板並びに前記底板とは、結合手段によって解除可能に結合されていることを特徴とする。
第２発明によれば、外枠と天板及び底板との結合を解除した状態で、外枠を回転させて引出ボックスの引き出し方向を好みの向きとした上で、再度、外枠と天板及び底板とを結合することにより、テーブルのレイアウトに合わせて引出ボックスの引き出し方向を好みの向きに設定することができる。
【図面の簡単な説明】
【０００７】
【図１】本発明の一実施形態の斜視図である。
【図２】上記実施形態の正面図である。
【図３】上記実施形態の平面図である。
【図４】上記実施形態の側面図であり、引出ボックスを外した状態を示す。
【図５】上記実施形態の底面図であり、引出ユニットを備えた一端側のみを示す。
【図６】上記実施形態における引出ボックスの平面図である。
【図７】上記実施形態の組立説明図である。
【発明を実施するための形態】
【０００８】
図１〜７は、本発明の一実施形態を示す。この実施形態は、ソファやベッドの横に置いて使用される木製のサイドテーブルに本発明を適用した例を示す。
この場合のサイドテーブル１は、全体として細長形状に形成され、その一端側に引出ユニット３０、他端側にマガジンラック４０をそれぞれ備えている。引出ユニット３０及びマガジンラック４０は、サイドテーブル１の底板２０の上に配置され、引出ユニット３０及びマガジンラック４０の上には、サイドテーブル１の天板１０が載せられている。その結果、引出ユニット３０とマガジンラック４０とに挟まれた部分には、上下左右の４面が被われ、前後面が解放された収納スペースが構成されている。底板２０の下面には、四角形の４隅にそれぞれ脚部５１、５２、５３、５４が設けられてサイドテーブル１を床面に置いたとき、脚部５１、５２、５３、５４によって底板２０が床面から離れて配置されるようにされている。
マガジンラック４０は、底板２０上に端板４１、仕切板４２、及び２枚の側板４３を四角筒形状に組み合わせて構成され、その四角筒の上側開口部から雑誌等の収納物を出し入れできるようにされている。従って、天板１０は、その端部を仕切板４２の上端に載せて固定され、四角筒の上側開口部を被わないようにされている。天板１０と仕切板４２との固定は、図７に示されるように、天板１０の下面に設けられた２個の突起部１０ａを仕切板４２の上端に形成された２個の嵌合穴４２ａにそれぞれ嵌合し、また、仕切板４２の上端で上記２個の嵌合穴４２ａの間の位置に形成された１個の突起部４２ｂを天板１０の下面で上記２個の突起部１０ａの間の位置に形成された１個の嵌合穴（不図示）に嵌合して行われている。各突起部１０ａ、４２ｂを嵌合穴４２ａに嵌合する際は、どちらか一方若しくは両方に接着剤を付けて行われ、強固に固定されている。なお、図７では突起部１０ａ、嵌合穴４２ａは、それぞれ１個のみ図示されている。
【０００９】
引出ユニット３０は、全体として６面体形状に形成された外枠３１内に２つの引出ボックス３２が引き出し可能に収納されて成り、長方形に形成された天板１０及び底板２０の一端側の３辺に、引出ユニット３０の外枠３１の３つの縦面が沿うようにされている。外枠３１は、２つの引出ボックス３２を上下に収納するように、縦配置の一対の側板３１ａ、３１ｂの間の上下に天板３１ｃと底板３１ｄとを固定し、その中間に中板３１ｅを固定して成る。また、外枠３１の引出ボックス３２が引き出される側とは反対側の端面には、奥板３１ｆが固定されている。引出ボックス３２は、天板３１ｃと中板３１ｅとの間、並びに中板３１ｅと底板３１ｄとの間に、奥板３１ｆが固定された側とは反対側の開口部からそれぞれ挿入され、引出ボックス３２内に収納物を出し入れする際は、外枠３１から引出ボックス３２が引き出されて使用される。従って、引出ユニット３０の引出ボックス３２は収納時には天板１０の下側にあり、引き出し時には天板１０の下側から外れた位置に引き出される。
天板３１ｃと中板３１ｅとの中間部に対応する側板３１ａ、３１ｂの内側面上には、引出ボックス３２の引き出し方向に沿って、且つ側板３１ａ、３１ｂの幅に合わせた長さの棒状のガイドレール３１ｇが設けられ、また、中板３１ｅと底板３１ｄとの中間部に対応する側板３１ａ、３１ｂの内側面上にもガイドレール３１ｇと対称形で、且つガイドレール３１ｇと平行なガイドレール３１ｈが設けられている。
【００１０】
外枠３１の天板３１ｃの中心部の上面には凸部３３が上方に突出して設けられ、また、外枠３１の底板３１ｄの中心部の下面には凸部３３が下方に突出して設けられている。これらの凸部３３に対向するサイドテーブル１の天板１０の下面と底板２０の上面には、それぞれ凹部３４が形成されている（図４参照）。従って、各凸部３３と各凹部３４とは互いに嵌合し、これらの凸部３３を中心として外枠３１は、天板１０と底板２０と平行な面内で回転可能とされている。
外枠３１の天板３１ｃの中心部から離れた部位であり、各凸部３３の周りには４つの貫通孔３６が穿設され、天板１０の対応部位の下面にはナット（不図示）が埋設されている。各貫通孔３６に外枠３１の天板３１ｃの下面側からボルト３５を挿入してナットに締結することにより、引出ユニット３０と天板１０とを結合している（図７参照）。また、底板２０の凹部３４の周りにも上記各貫通孔３６と同様に４つの貫通孔２１が穿設され、外枠３１の底板３１ｄの対応部位の下面にはナット（不図示）が埋設されている。底板２０の各貫通孔に底板２０の下面側からボルト３７を挿入してナットに締結することにより、引出ユニット３０と底板２０とを結合している（図５、７参照）。
【００１１】
引出ボックス３２は、前板３２ａ、一対の側板３２ｂ、及び奥板３２ｃを、図２、３、６のように開口部が広くて深さの浅い四角筒形状に組み合わせて、その四角筒の底部に底板３２ｄを組み合わせて成る。一対の側板３２ｂの外側面上には、上述のガイドレール３１ｇ、３１ｈが嵌合して摺動可能とされたガイド溝（不図示）が形成されている。従って、引出ボックス３２は、外枠３１に対して引き出し、収納する際に、ガイドレール３１ｇ、３１ｈに沿ってスムーズに摺動される。また、前板３２ａの前面には摘み３２ｅが設けられて、引出ボックス３２の引き出し操作時に摘み３２ｅを摘むことによって操作が容易となるようにされている。
【００１２】
以上の実施形態によれば、ボルト３５、３７を締結状態から外して、引出ユニット３０の外枠３１と天板１０及び底板２０との結合を解除した状態で、外枠３１を上下の凸部３３を中心として回転させて引出ボックス３２の引き出し方向を好みの向きとし、その上で、再度、ボルト３５、３７を締結させて、外枠３１と天板１０及び底板２０とを結合することにより、サイドテーブル１のレイアウトに合わせて引出ボックス３２の引き出し方向を好みの向きに設定することができる。図１（Ａ）は、引出ボックス３２の引き出し方向をサイドテーブル１の端面側とした状態を示し、図１（Ｂ）は、引出ボックス３２の引き出し方向をサイドテーブル１の前面側とした状態を示す。勿論、引出ボックス３２の引き出し方向を図１（Ｂ）とは反対向きとすることもできる。
【００１３】
このように、引出ユニット３０の外枠３１の取付方向を変更可能としているため、引出ユニット３０の向きに縛られずに、部屋内で好みの位置にサイドテーブル１をレイアウトすることができる。換言すると、サイドテーブル１を好みの位置にレイアウトすることを考慮して、引出ユニット３０の外枠３１の取付方向を変更して、引出ボックス３２の引き出し方向を好みの方向に変更することができる。しかも、引出ボックス３２の引き出し方向は外枠３１の取付方向を変更することによって変更され、外枠３１に対する引出ボックス３２の引き出し方向は不変である。そのため、外枠３１に対する引出ボックス３２の引き出しガイドは、一方向のみのガイドレール３１ｇ、３１ｈで、従来技術のように引き出しガイドを多方向に設定する必要はなく、外枠３１に対する引出ボックス３２の摺動をスムーズにすることができる。
【００１４】
以上、特定の実施形態について説明したが、本発明は、それらの外観、構成に限定されず、本発明の要旨を変更しない範囲で種々の変更、追加、削除が可能である。例えば、
１．上記実施形態では、外枠３１の上下面に凸部３３をそれぞれ設け、天板１０並びに底板２０に凹部３４をそれぞれ設けたが、外枠３１の上下面に凹部３４をそれぞれ設け、天板１０並びに底板２０に凸部３３をそれぞれ設けても良い。
２．上記実施形態では、ボルト３５、３７及びナットを結合手段として、外枠３１の上下面と天板１０並びに底板２０とを解除可能に結合したが、外枠３１のいずれかの位置と天板１０若しくは底板２０のいずれかの位置とが相対移動しないように結合される構成であれば別の結合構造でも良い。
３．上記実施形態では、引出ユニット３０における外枠３１の側板３１ａ、３１ｂにガイドレール３１ｇ、３１ｈを設け、このガイドレール３１ｇ、３１ｈに対応して引出ボックス３２にガイド溝を設けたが、これらのガイドレール及びガイド溝はなくても良い。
４．上記実施形態では、本発明を木製のサイドテーブルに適用したが、その他の引出し付きテーブルに適用しても良い。また、テーブルや引出ユニットは金属製、樹脂製であっても良い。
【符号の説明】
【００１５】
１    サイドテーブル
１０  天板
１０ａ  突起部
２０  底板
２１  貫通孔
３０  引出ユニット
３１  外枠
３１ａ、３１ｂ  側板
３１ｃ  天板
３１ｄ  底板
３１ｅ  中板
３１ｆ  奥板
３１ｇ、３１ｈ  ガイドレール
３２  引出ボックス
３２ａ  前板
３２ｂ  側板
３２ｃ  奥板
３２ｄ  底板
３２ｅ  摘み
３３  凸部
３４  凹部
３５、３７  ボルト
３６  貫通孔
４０  マガジンラック
４１  端板
４２  仕切板
４２ａ  嵌合穴
４２ｂ  突起部
４３  側板
５１、５２、５３、５４  脚部
【図１】
2015066051.tif 000003
【図２】
2015066051.tif 000004
【図３】
2015066051.tif 000005
【図４】
2015066051.tif 000006
【図５】
2015066051.tif 000007
【図６】
2015066051.tif 000008
【図７】
2015066051.tif 000009